(57)【要約】【課題】  インクジェット記録ヘッドのノズル面に付着している増粘・固化したインクを、より容易にノズル面から除去し、清掃する。【解決手段】  ノズル３６からインク滴を吐出し、弾性ブレード１０４をインクで濡らしながらワイピング（払拭）することで、増粘・固化したインクを溶かしながらワイピング（払拭）される。よって、増粘・固化したインクもきれいに清掃できる。【選択図】        図３
2006212863.tif 000002
【特許請求の範囲】
【請求項１】
ノズル面に形成された複数のノズルからインク滴を吐出するインクジェット記録ヘッドと、
前記ノズル面に当接し、該ノズル面をワイピングする第一ワイパーと、
前記第一ワイパーを、前記ノズル面に沿って、該ノズル面に対して相対的に移動させる第一移動手段と、
前記ノズルからのインク滴の吐出と、第一移動手段と、を制御する制御手段と、
を備え、
前記制御手段は、前記ノズルから少なくとも前記第一ワイパーに向かってインク滴を吐出させながら、該第一ワイパーを前記ノズル面に対して相対的に移動させ、該ノズル面をワイピングさせることを特徴とするインクジェット記録装置。
【請求項２】
前記制御手段は、
前記ノズルから少なくとも前記第一ワイパーに向かってインク滴を吐出させながら、該ノズル面をワイピングさせた後、
前記ノズルからインク滴を吐出させないで、該ノズル面をワイピングさせることを特徴とする請求項１に記載のインクジェット記録装置。
【請求項３】
前記第一ワイパーとは別に、該第一ワイパーに対して移動方向の上流側に設けられ、該第一ワイパーと一体となって前記ノズル面に沿って相対的に移動し、該ノズル面に当接し、該ノズル面をワイピングする第二ワイパーを備え、
前記制御手段は、
前記ノズルから少なくとも前記第一ワイパーに向かってインク滴を吐出させながら、且つ、前記第二ワイパーに向かってはインク滴を吐出させないで、該ノズル面をワイピングさせることを特徴とする請求項１に記載のインクジェット記録装置。
【請求項４】
前記インクジェット記録ヘッドは、移動方向の上流側の前記ノズル面の端部に、前記ノズルとは別に、清掃用ノズルを備え、
前記制御手段は、前記清掃用ノズルからのインク滴の吐出も制御し、
前記制御手段は、
前記清掃用ノズルからインク滴を前記第一ワイパーに向かって吐出させた後、
前記ノズルから少なくとも前記第一ワイパーに向かってインク滴を吐出させながら、該ノズル面をワイピングさせることを特徴とする請求項１から請求項３のいずれか１項に記載のインクジェット記録装置。
【請求項５】
前記第一ワイパーと前記ノズル面とが当接した状態と離間した状態とに相対的に移動させる第二移動手段を備え、
前記制御手段は、前記第二移動手段も制御し、
前記制御手段は、
前記第一ワイパーと前記ノズル面とを離間して対向させ、前記ノズルから少なくともインク滴を該第一ワイパーに向かって吐出させた後、
前記ノズルから少なくとも前記第一ワイパーに向かってインク滴を吐出させながら、前記ノズル面をワイピングすることを特徴とする請求項１から請求項３のいずれか１項に記載の記載のインクジェット記録装置。
【請求項６】
前記第一ワイパーの移動方向に対して上流側と下流側とに、該第一ワイパーと一体となって移動するインク受け部を備えることを特徴とする請求項１から請求項５のいずれか１項に記載のインクジェット記録装置。
【請求項７】
ノズル面に形成された複数のノズルからインク滴を吐出するインクジェット記録ヘッドと、
前記ノズル面に当接し、該ノズル面をワイピングするワイパーと、
前記ワイパーを前記ノズル面に沿って、該ノズル面に対して相対的に移動させる第一移動手段と、
を備え、
前記ノズルから少なくとも前記ワイパーに向かってインク滴を吐出しながら、該ワイパーを該ノズル面に対して相対的に移動し、該ノズル面をワイピングする清掃工程を備えることを特徴とするインクジェット記録ヘッドのノズル面の清掃方法。
【請求項８】
前記清掃工程の後、
前記ノズルからインク滴を吐出しないで、前記ワイパーで該ノズル面をワイピングする事後工程を備えることを特徴とする請求項７に記載のインクジェット記録ヘッドのノズル面の清掃方法。
【請求項９】
前記ワイパーと前記ノズル面とが当接した状態と離間した状態とに相対的に移動させる第二移動手段を備え、
前記清掃工程の前に、前記ワイパーと前記ノズル面とが離間し対向した状態で、少なくとも該ワイパーに向かってインク滴を吐出する事前工程を備えることを特徴とする請求項７、又は請求項８に記載のインクジェット記録ヘッドのノズル面の清掃方法。
【発明の詳細な説明】
【技術分野】
【０００１】
本発明は、インクジェット記録装置、及びインクジェット記録ヘッドのノズル面の清掃方法に関する。
【背景技術】
【０００２】
インクジェット記録ヘッドは、印字中のインクミスト等によりノズル面のノズル周囲にインクが付着すると、撥水性が低下し、インク滴の吐出方向が不安定になり、画質が劣化する。よって、所定のタイミングで弾性ブレードでノズル面をワイピング（払拭）し、ノズル面を清掃している。
【０００３】
しかし、ノズル面に付着したインクが長時間経過し、増粘・固化すると、ワイパーによるワイピング（払拭）だけでは除去できず、拭きムラやインク残りが生じてしまう。これは、特に耐水性を高めた顔料インクで顕著に発生する。
【０００４】
このような増粘・固化したインクを除去するために、弾性ブレードがノズル面に当接する力を強くすると、ノズル面の撥水処理膜を傷つけたり、剥離させてしまう。
【０００５】
したがって、増粘・固化したインクを除去するためには、増粘・固化したインクを濡らして溶解したのち、弾性ブレードでワイピング（払拭）することが望ましい。
【０００６】
例えば、吸引動作を行い、増粘・固化したインクを濡らして溶解したのち、弾性ブレードでノズル面をワイピング（払拭）する方法が提案されている。（例えば、特許文献１、特許文献２を参照）。
【０００７】
しかし、弾性ブレードでノズル面をワイピング（払拭）するたびに、吸引動作を実施することになり、動作が複雑であり時間がかかる。また、無駄に消費されるインク（画像形成に寄与されずに廃棄するインク）が増大する。
【０００８】
また、例えば、スポンジからなる第一のワイパーにインク滴を吐出をして湿潤させ、この第一のワイパーでノズル面をワイピング（払拭）して増粘・固化したインクを濡らして溶解した後、第二のワイパーでノズル面をワイピング（払拭）する方法が提案されている。（例えば、特許文献３参照）。
【０００９】
しかし、このような方法は、スポンジからなる第一のワイパーに湿潤したインクを、吸引ポンプで吸引して清浄化する必要があるため、やはり、動作が複雑であり、時間がかかる。また、吸引ポンプ等が必要であり、装置が複雑化するとともに高コストである。
【特許文献１】特開平８−３９８３０号公報
【特許文献２】特開平９−５８０１５号公報
【特許文献３】特開平６−９６５号公報
【発明の開示】
【発明が解決しようとする課題】
【００１０】
本発明は、上記問題を解決すべく成されたもので、インクジェット記録ヘッドのノズル面に付着している増粘・固化したインクを、より容易にノズル面から除去し、ノズル面を清掃することを目的とする。
【課題を解決するための手段】
【００１１】
本発明のインクジェット記録装置は、ノズル面に形成された複数のノズルからインク滴を吐出するインクジェット記録ヘッドと、前記ノズル面に当接し、該ノズル面をワイピングする第一ワイパーと、前記第一ワイパーを、前記ノズル面に沿って、該ノズル面に対して相対的に移動させる第一移動手段と、前記ノズルからのインク滴の吐出と、第一移動手段と、を制御する制御手段と、を備え、前記制御手段は、前記ノズルから少なくとも前記第一ワイパーに向かってインク滴を吐出させながら、該第一ワイパーを前記ノズル面に対して相対的に移動させ、該ノズル面をワイピングさせることを特徴としている。
【００１２】
本発明のインクジェット記録装置は、ノズルから少なくとも第一ワイパーに向かってインク滴を吐出させ、第１ワイパーをインクで濡らしながら、ノズル面をワイピング（払拭）している。
【００１３】
つまり、インクジェット記録ヘッドのノズル面に付着している増粘・固化したインクを濡らして溶解しながらワイピング（払拭）しているので、容易に増粘・固化したインクをノズル面から除去し、清掃される。
【発明の効果】
【００１４】
以上説明したように本発明によれば、ワイパーをインクで濡らしながらノズル面をワイピング（払拭）することで、インクジェット記録ヘッドのノズル面に付着している増粘・固化したインクを濡らして溶解しながらワイピング（払拭）し、容易に増粘・固化したインクをノズル面から除去し、清掃できる。
【発明を実施するための最良の形態】
【００１５】
以下、図面を参照して本発明の実施の形態に説明する。
【００１６】
まず、第１の実施形態のインクジェット記録装置１２について説明する。
【００１７】
図１に示すように、インクジェット記録装置１２は制御部１１を備えている。制御部１１はインクジェット記録装置１２全体の各種制御を全て担っている。
【００１８】
インクジェット記録装置１２の筐体１４内の下部には給紙トレイ１６が備えられており、給紙トレイ１６内に積層された用紙Ｐをピックアップロール１８で１枚ずつ取り出すことができる。取り出された用紙Ｐは、所定の搬送経路２２を構成する複数の搬送ローラ対２０で搬送される。
【００１９】
給紙トレイ１６の上方には、駆動ロール２４及び従動ロール２６に張架された無端状の搬送ベルト２８が配置されている。搬送ベルト２８の上方には記録ヘッドアレイ３０が配置されており、搬送ベルト２８の平坦部分２８Ｆに対向している。この対向した領域が、記録ヘッドアレイ３０からインク滴が吐出される吐出領域となっている。搬送経路２２を搬送された用紙Ｐは、搬送ベルト２８で保持されてこの吐出領域に至り、記録ヘッドアレイ３０に対向した状態で、記録ヘッドアレイ３０から画像情報に応じたインク滴が付着される。
【００２０】
駆動ロール２４の下流側には、剥離プレート４０が配置されており、用紙Ｐを搬送ベルト２８から剥離させる。剥離された用紙Ｐは、剥離プレート４０の下流側で排出経路４４を構成する複数の排出ローラ対４２で搬送され、筐体１４の上部に設けられた排紙トレイ４６に排出される。
【００２１】
記録ヘッドアレイ３０は、本実施形態では、有効な記録領域が用紙Ｐの幅（搬送方向と直交する方向の長さ）以上とされた長尺状とされ、イエロー（Ｙ）、マゼンタ（Ｍ）、サイアン（Ｓ）、及びブラック（Ｋ）の４色それぞれに対応した４つのインクジェット記録ヘッド３２Ｙ〜３２Ｋが搬送方向に沿って配置されており、フルカラーの画像を記録可能になっている。つまり、紙幅対応の、所謂、Ｆｕｌｌ  Ｗｉｄｔｈ  Ａｒｒａｙ（ＦＷＡ）となっている。なお、以降、他の部材も含め、ＹＭＣＫを区別する必要がある場合は、符号の後にＹ、Ｍ、Ｃ、Ｋの何れかを付し、ＹＭＣＫを区別する必要が無い場合は、Ｙ、Ｍ、Ｃ、Ｋを省略する。
【００２２】
また、インクジェット記録ヘッド３２においてインク滴を吐出する方法は特に限定されず、いわゆるサーマル方式や圧電方式等、公知のものを適用できる。
【００２３】
図３（Ａ）に示すように、インクジェット記録ヘッド３２は、ノズル面３２Ａに形成された複数のノズル３６からインク滴を吐出する。このノズル面３２Ａの表面には、撥水膜（図示略）が形成されている。このため、ノズル３６の周縁部のインクの濡れが均一となり、インク滴の吐出特性（インク滴の吐出方向、インク滴径、インク滴の滴速度等）が安定する。
【００２４】
図１に示すように、記録ヘッドアレイ３０の上流側と下流側とに、各インクジェット記録ヘッド３２Ｙ〜３２Ｋに対応した４つのメンテナンスユニット３４Ｙ〜３４Ｋが配置されている。メンテナンスユニット３４には、キャップ（図示略）、吸引ポンプ（図示略）、ダミージェット受け（図示略）、ワイピング装置１００（図４（Ａ）参照）等から構成されており、吸引回復動作、ダミージェット動作、クリーニング動作等のメンテナンス動作を行うようになっている。
【００２５】
そして、インクジェット記録ヘッド３２に対してメンテナンスを行う場合には、図２に示すように、ヘッド移動機構６０によって、記録ヘッドアレイ３０が上方へ移動し、搬送ベルト２８との間に構成された間隙にメンテナンスユニット３４Ｙ〜３４Ｋが移動して入り込む。そして、メンテナンスユニット３４がノズル面３２Ａ（図３（Ａ）参照）に対向した状態で、所定のメンテナンス動作を行う。
【００２６】
つぎに、ワイピング装置１００について説明する。
【００２７】
図４に示すように、ワイピング装置１００は、上方が開口した箱形状の筐体１０２を備えいる。筐体１０２の中央部には、ウレタンゴム等からなる弾性ブレード１０４が立設している。そして、弾性ブレード１０４の両側には、インク吸収体１０６Ａ，１０６Ｂを備えている。
【００２８】
筐体１０２の下部には、移動機構部１０８を備えている。この移動機構部１０８は、貫通孔１１２と貫通孔１１６とが形成されている。なお、貫通孔１１６の内周面にはスクリューが形成されている。
【００２９】
貫通孔１１２は、シャフト１１０が貫通している。貫通孔１１６にはスクリューシャフト１１４が貫通し、貫通孔１１６のスクリューと螺合している。シャフト１１０とスクリューシャフト１１４とは、装置筐体（図示略）に固定されている。なお、スクリューシャフト１１４は回転自在に固定されている。なお、図３、図４以外の図では、移動機構部１０８，シャフト１１０，スクリューシャフト１１４は省略して図示している。
【００３０】
図３（Ａ）〜図３（Ｃ）に示すように、モータ（図示略）等によりスクリューシャフト４２を回転させると、ワイピング装置１００が移動する。
【００３１】
そして、図２に示すように、メンテナンスユニット３４をインクジェット記録ヘッド３２のノズル面３２Ａ（図３参照）に対向した状態とした後、図３（Ａ）に示すように、ヘッド移動機構６０（図１参照）によって、弾性ブレード１０４をインクジェット記録ヘッド３２のノズル面３２Ａに当接する位置に下げ、スクリューシャフト１１４を回転させ、図３（Ａ）〜図３（Ｃ）に示すように、ワイピング装置１００をノズル面３２Ａに沿って移動させて弾性ブレード１０４でワイピング（払拭）する。ワイピング（払拭）の速度（弾性ブレード１０４の移動速度）は、５０ｍｍ／秒〜３００ｍｍ／秒である。
【００３２】
なお、図３は図１の矢印Ｅ方向に見た図であり、シャフト１１０とスクリューシャフト１１４の長手方向（軸方向）は、図１では手前から奥側となる。また、同様にワイピング装置１００の移動方向も手前から奥側となる。よって、前述した、インク吸収体１０６Ａ，１０６Ｂは、ワイピング装置１００の移動方向に対して弾性ブレード１０４の上流側と下流側とに配設される構成となる。
【００３３】
また、図３（Ａ）〜図３（Ｃ）に示すように、制御部１１（図１参照）は、弾性ブレード１０４で、インクジェット記録ヘッド３２のノズル面３２Ａを払拭する際、ノズル３２からインク滴を弾性ブレード１０４に向かって順々に吐出させ、弾性ブレード１０４をインクで濡らしながらワイピング（払拭）する。なお、弾性ブレード１０４が通過後、順々にインク滴の吐出を止めている。
【００３４】
インク滴を吐出するノズル３２は、弾性ブレード１０４の移動方向の上流側と下流側との近傍のみ吐出する。なお、本実施形態では、インク吸収体１０６Ａ，１０６Ｂに着弾する範囲内のノズル３２からのみ吐出している。よって、インクジェット記録装置１２（図１参照）内をインクで汚染しない。また、図４（Ｂ）に示すように、弾性ブレード１０４に吐出され、弾性ブレード１０４に付着したインクＱは、弾性ブレード１０４をつたって流れ、インク吸収体１０６Ａに吸収される。
【００３５】
更に、インクジェット記録ヘッド３２の移動方向の下流側の端部に、インク吸収体等からなるブレードクリーニング部材３９が設けられている。よって、ノズル面３２をワイピング（払拭）した後、弾性部レート１０４が、このクリーニング部材３９に当接することでも、弾性ブレード１０４に付着しているインクＱが吸収される。
【００３６】
したがって、インクＱが弾性ブレード１０４に長時間付着し、徐々に浸漬することによる、弾性ブレード１０４の劣化が防止されている。
【００３７】
なお、本実施形態では、ワイピング装置１００の移動開始から進む移動距離を予め求めておき、弾性ブレード１０４の移動とインク滴を吐出させるノズル３６との同期をとっている。
【００３８】
なお、より正確に同期を取る必要がある場合は、ワイピング装置１００の移動量を計測手段で計測し、インク滴を吐出させるノズル３６と同期をとっても良い。ワイピング装置１００の移動量を計測する計測手段（計測方法）は、例えば、エンコーダを用いて計測しても良いし、あるいは、スクリューシャフト１１４の回転数をモニターし、移動量を計測しても良い。
【００３９】
つぎに、本実施形態の作用について説明する。
【００４０】
インクジェット記録ヘッド３２は、常に安定して高い印字品位を維持するため、インク滴の吐出特性（例えば、インク滴の吐出方向、インク滴径、インク滴速度等）が安定している必要がある。
【００４１】
しかし、インク滴をノズル３６から吐出した際に発生するサテライト滴等の微細なインクミストやゴミなどのノズルの周縁部への付着などによって、ノズル３６の周縁部のインクの濡れが不均一となると、インク滴の吐出特性は不安定になる。よって、所定のタイミングで弾性ブレード１０４でノズル面３２Ａをワイピング（払拭）し、ノズル面３２Ａを清掃している。
【００４２】
しかし、ノズル面３２Ａに付着したインクが長時間経過して増粘・固化すると、単純に弾性ブレード１０４でワイピング（払拭）するだけでは除去できず、拭きムラやインク残りが生じてしまう。
【００４３】
したがって、図３（Ａ）〜図３（Ｃ）に示すように、ノズル３６からインク滴を吐出し、弾性ブレード１０４をインクで濡らしながらワイピング（払拭）することで、増粘・固化したインクを溶かしながらワイピング（払拭）されるので、増粘・固化したインクもきれいに清掃できる。
【００４４】
なお、本実施形態では、順々にノズル３２からインクを吐出させ、弾性ブレード１０４が通過後、順々に止めていたが、以下のように制御してもよい。
【００４５】
図５に示すように、ノズル３６をブロックＡからブロックＩまでの９つのブロックに分ける。なお、インク吸収体１０６Ａ，１０６Ｂの幅Ｗ（図５（Ａ）参照）は、各ブロックの幅より広いが、連続する二つのブロック幅より狭い。また、連続する三つのブロックの幅は、下流側のインク吸収体１０６Ａの下流端と上流側のインク吸収体１０６Ｂの上流端との間（幅）より狭い。
【００４６】
さて、図６のフローチャートにも示すように、ワイピング装置１００が移動し、上流側のブロックＡ全体がインク吸収体１０６Ａに入るとブロックＡの各ノズル３６からインク滴を吐出する（図５（Ｂ）参照）。つぎに、ブロックＢ全体がインク吸収体１０６Ａに入るとブロックＢのノズル３６からインク滴を吐出する。なお、連続する二つのブロックＡ，Ｂの幅よりインク吸収体１０６Ａの幅Ｗは狭いので、ブロックＡから吐出したインクは弾性ブレード１０４を必ず濡らす。（図５（Ｃ）参照）。ブロックＣ全体がインク吸収体１０６Ａに入るとブロックＣのノズル３６からインク滴を吐出するとともに、ブロックＡが弾性ブレード１０４外に外れるので、ブロックＡのノズル３６の吐出を止める。（図５（Ｄ）参照）。なお、連続する三つのブロックＡ，Ｂ，Ｃの幅は、下流側のインク吸収体１０６Ａの下流端と上流側のインク吸収体１０６Ｂの上流端との間（幅）より狭いので、インクはワイピング装置１００外に着弾しない。そして、このように、ブロック毎に順々にインク滴を吐出し、また、吐出を止めていく。
【００４７】
このように、ブロック毎にインク滴の吐出を制御する制御方法は、ノズル３６単位で吐出を制御する方法と比較し、制御対象を少なくできるので、制御が容易である。
【００４８】
なお、上記の制御方法は、インクを吐出するブロックが、「［ブロックＡ］、［ブロックＡ，Ｂ］、［ブロックＢ，Ｃ］、［ブロックＣ，Ｄ］・・・・・・［ブロックＨ，Ｉ］、［ブロックＩ］」と２ブロックを基準に制御しているが、これに限定されない。ワイピング装置幅とブロック幅との関係に応じ、３ブロック以上を基準に制御しても良い。例えば、３ブロックを基準に制御する場合は、インクを吐出するブロックが、「［ブロックＡ］、［ブロックＡ，Ｂ］、［ブロックＡ，Ｂ，Ｃ］、［ブロックＢ，Ｃ，Ｄ］・・・・・・［ブロックＧ，Ｈ，Ｉ］、［ブロックＨ，Ｉ］、［ブロックＩ］」となる。
【００４９】
また、ブロック数も、上記では、ブロックＡからブロックＩまでの９つのブロックに分けたが、これに限定されない。任意のブロック数であって良い。
【００５０】
また、インク吸収体１０６Ａ及びインク吸収体１０６Ｂは、同じ幅Ｗ（図５（Ａ）参照）は同じであったが、異なっていても良い。
【００５１】
さて、図３に示すように、最上流側にあるノズル３６Ａに弾性ブレード１０２の先端が接触する際には、まだ、弾性ブレード１０４の先端は十分インクで濡れていない。
【００５２】
よって、次のような事前制御を行っても良い。
【００５３】
図７（Ａ）に示すように、まず、インクジェット記録ヘッド３２を上げ、ノズル面３２Ａと弾性ブレード１０４と離間し対向した状態で、ノズル３６からインク滴を吐出して弾性ブレード１０４を濡らす。
【００５４】
次に、図７（Ｂ）に示すように、ワイピング装置１００をインクジェット記録ヘッド３２外に移動させ、インクジェット記録ヘッド３２を下げる。
【００５５】
そして、図７（Ｃ）に示すように、同様にノズル３６からインク滴を吐出し、弾性ブレード１０４をインクで濡らしながらワイピング（払拭）する。
【００５６】
したがって、最上流側にあるノズル３６Ａに弾性ブレード１０４の先端が接触する際にも、弾性ブレード１０４の先端は十分インクで濡れているので、ノズル３６Ａ近傍に付着している増粘・固化したインクも十分に濡れて溶解される。
【００５７】
更に、ノズル３６からインク滴を吐出し、弾性ブレード１０４をインクで濡らしながらワイピング（払拭）した後には、ノズル面３２Ａにインクが残留していることがある。
【００５８】
よって、次のような事後制御を行っても良い。
【００５９】
まず、図８（Ａ）に示すように、同様にノズル３６からインク滴を吐出し、弾性ブレード１０４をインクで濡らしながらワイピング（払拭）する。
【００６０】
図８（Ｂ）に示すように、ワイピング（払拭）が完了すると、インクジェット記録ヘッド３２を上げ、ノズル面３２と弾性ワイパー１０４と離間させる。そして、ワイピング装置１００をインクジェット記録ヘッド３２外に移動させ、インクジェット記録ヘッド３２を下げる。
【００６１】
そして、今度は、図８（Ｃ）に示すように、ノズル３６からインク滴を吐出させず、弾性ブレード１０４をインクで濡らさないでワイピング（払拭）する。つまり、乾拭きし、ノズル面１０４に残留しているインクを除去する。なお、乾拭きした後に弾性ブレード１０４に付着したインクＱは、同様にインク吸収体１０６Ａとブレードクリーニング部材３９とに吸収される。
【００６２】
なお、図８（Ｂ）に示すように、インクジェット記録ヘッド３２を上げ、ワイピング装置１００をインクジェット記録ヘッド３２外に移動したのちワイピング（払拭）するのでなく、弾性ブレード１０４を濡らしながらワイピング（払拭）した後、そのまま今度は反対方向に移動し弾性ブレード１０４を濡らさないでワイピング（払拭）しても良い。
【００６３】
つぎに、ワイピング装置の第１の変形例について説明する。
【００６４】
図４（Ａ）に示すワイピング装置１００は、図４（Ｂ）に示すように、ワイピング（払拭）の際に弾性ブレード１０４が撓むと、図４（Ｃ）に示すように、弾性ブレード１０４の根元と上流側のインク吸収体１０６Ａとの隙間ができる場合がある（図中のＸ部分を参照）。隙間ができると、弾性ブレード１０４の根元までインクＱが流れ、インク吸収体１０６Ａに吸収されずに堆積する。そして、堆積したインクが弾性ブレード１０４に長時間付着したままとなる。このため、弾性ブレード１０４に徐々に浸漬していき、弾性ブレード１０４を劣化させてしまうことがある。
【００６５】
したがって、図９（Ａ）に示すように、第１の変形例のワイピング装置２００では、弾性ブレード１０４の移動方向の上流側に、弾性ブレード１０４の根元部分を押さえる押さえ部２０２を設け、図９（Ｂ）に示すように、ワイピング（払拭）の際に弾性ブレード１０４が撓んでも、下流側のインク吸収体１０６Ａと弾性ブレード１０４とを確実に当接させ、インクＱが弾性ブレード１０６の根元まで流れて堆積することを防止している。
【００６６】
つぎに、ワイピング装置の第２の変形例について説明する。
【００６７】
図１０に示すように、第二の変形例のワイピング装置３００では、弾性ブレード１０４の移動方向の上流側には、インク移行部材３０４を備えている。また、筐体３０２にはインク吸収体１０６Ａ，Ｂ（図４参照）は無く、代わりに箱部３０８にインクを貯留する構成となっている。
【００６８】
図１１（Ａ）、図１１（Ｂ）に示すように、インク移行部材３０４は、断面が上部は略直角三角形であり、下部は略長方形となっている。そして、図１０に示すように、略直角三角形の一辺３０４Ａが弾性ブレード１０４に接触している。
【００６９】
また、図１１（Ａ），図１１（Ｂ）に示すように、表面には細かいスリット３０６が形成されている。
【００７０】
そして、図１０に示すように、弾性ブレード１０４を流れてきたインクＱは、インク移行部材３０４のスリット３０６をつたって、箱部３０８に流れ溜まっていく。
【００７１】
第２の変形例の作用効果は、第一の実施形態で説明した作用効果と同様である。
【００７２】
つぎに、ワイピング装置の第三の変形例について説明する。
【００７３】
図１２に示すように、第三の変形例のワイピング装置４００では、第二の変形例と同様に、弾性ブレード１０４の上流側には、表面にスリット３０６（図１１参照）が形成されたインク移行部材３０４を備えている。また、筐体４０２にインク吸収体１０６Ａ，１０６Ｂ（図４参照）は無く、代わりに箱部４０８にインクを貯留する構成である。
【００７４】
更に、第一の変形例と同様に、弾性ブレード１０４の上流側に、弾性ブレード１０４の根元部分を押さえる押さえ部２０２を設け、インク移行部材３０４の一辺３０４Ａと弾性ブレード１０４と確実に当接させ、弾性ブレード１０４の根元までインクＱが流れて堆積することを防止している。
【００７５】
また、箱部４０８の底面には、インク排出口４０４が設けられ、このインク排出口４０４から吸引ポンプ（図示略）などを用いてインクを排出している。
【００７６】
なお、第３の変形例の作用効果は、第一、及び第二の変形例と同様の作用効果に加え、箱部３０８に溜まったインクをインク排出口４０４から吸引ポンプ（図示略）で排出しているので、箱部４０８の容量を小さくできるという効果がある。
【００７７】
つぎに、ワイピング装置の第４の変形例について説明する。
【００７８】
図１３に示すように、ワイピング装置５００は、弾性ブレード１０４の上流側のインク吸収体１０６Ｂの更に上流側に、乾拭き用弾性ブレード１０５が立設している。なお、乾拭き用弾性ブレード１０５は、弾性ブレード１０４と同様の材質および形状をしている。
【００７９】
そして、制御部（図１参照）は、図１３（Ｂ）に示すように、ノズル３６から弾性ブレード１０４に向かっては、インク滴を吐出して弾性ブレード１０４をインクで濡らすが、乾拭き用弾性ブレード１０５に向かっては、インク滴を吐出させずに乾拭き用弾性ブレード１０５はインクで濡らさないで、ノズル面３２Ａをワイピング（払拭）させる。
【００８０】
したがって、前述した事後制御と同様に、弾性ブレード１０４をインクで濡らしながらワイピング（払拭）した後に残留したインクを、乾拭き用弾性ブレード１０５でワイピング（払拭）して除去するので、ノズル面３２Ａをよりきれいに清掃できる。また、事後制御を行う必要がないので、短時間でノズル面３２Ａの清掃作業が終了する。
【００８１】
なお、第一から第三の変形例と同様のワイピング装置２００，３００，４００に、乾拭き用弾性ブレード１０５を備える構成であっても良い。
【００８２】
また、上述した事前工程（図７参照）を行っても良い。ただし、事前工程を行う際も、インクで濡らすのは、弾性ブレード１０４のみであり、乾拭き用弾性ブレード１０５に向けてはインク滴を吐出せず、乾拭き用弾性ブレード１０５はインクで濡らさない。
【００８３】
つぎに、第二の実施形態のインクジェット記録装置について説明する。なお、第１の実施形態と同一の部材には同一の符号を付し、重複した説明は省略する。
【００８４】
図１４に示すように、第二の実施形態のインクジェット装置のインクジェット記録ヘッド１３２は、ノズル面１３２Ａのワイピング装置１００の移動方向に対して上流側の端部（最上流側のノズル３６Ａの更に上流側）に、複数の清掃用ノズル３７が設けられている。この清掃用ノズル３７からも、通常のノズル３６と同様にインク滴を吐出する。しかし、この清掃用ノズル３７は画像形成には寄与しない。また、この清掃用ノズル３７からのインク滴の吐出制御も制御部１１（図１参照）が行う。
【００８５】
つぎに、本実施形態の作用について説明する。
【００８６】
図１４（Ａ）〜図１４（Ｃ）に示すように、弾性ブレード１０４を当接させ、ノズル面１３２Ａに沿って弾性ブレード１０４を移動させてワイピング（払拭）する際に、図１４（Ｂ）に示すように、まず最初に清掃用ノズル３７から吐出したインク滴でワイパーを濡らした後、通常のノズル３６をワイピング（払拭）する。
【００８７】
したがって、第一の実施形態で説明した事前制御の作用効果と同様に、最上流側にあるノズル３６Ａに弾性ブレード１０４の先端が接触する際に、既に弾性ブレード１０４の先端は十分インクで濡れているので、ノズル３６Ａの近傍に付着している増粘・固化したインクも十分に濡れて溶解される。また、第一の実施形態で説明した事前制御を行う必要がないので、短時間で清掃作業が終了する。
【００８８】
なお、第一の実施形態で説明した、事後工程を行っても良い。また、第一の実施形態の第一から第四の変形例のワイピング装置２００，３００，４００，５００を備えていても良い。なお、第四の変形例のワイピング装置５００（図１３参照）を備える場合は、事後工程は必要ない。また、乾拭き用弾性ブレード１０５（図１３参照）に向かっては、清掃用ノズル３７からインク滴を吐出させず、インクで濡らさない。
【００８９】
尚、上記の実施形態に限定されない。
【００９０】
例えば、上記実施形態では、インクジェット記録ヘッド３２，１３２が上方に上がって、インクジェット記録ヘッド３２，１３２のノズル面３２Ａ，１３２Ａと弾性ブレード１０４とが離間したが、ワイピング装置が下がって離間しても良いし、あるいは、インクジェット記録ヘッドとワイピング装置との両方が上下に移動しても良い。
【００９１】
また、例えば、上記実施形態では、紙幅対応の、所謂、Ｆｕｌｌ  Ｗｉｄｔｈ  Ａｒｒａｙ（ＦＷＡ）となっていたが、これに限定されない。
【００９２】
インクジェット記録ヘッドが主走査方向に移動しながら、ノズルから選択的にインク滴を吐出することにより、所定のバンド領域に対して画像データに基づく画像の一部が記録され、そして、主走査方向への１回の移動が終了すると、記録紙Ｐは、副走査方向に所定ピッチ搬送され、再びインクジェット記録ヘッドが主走査方向に移動しながら、次のバンド領域に対して画像データに基づく画像の一部が記録される、所謂、Ｐａｒｔｉａｌ  Ｗｉｄｔｈ  Ａｒｒａｙ（ＰＷＡ）であってもよい。
【００９３】
また、このようなＰＷＡの場合、ノズル面に沿って弾性ブレードが移動し、ワイピング（払拭）する動作において、弾性ブレード（ワイピング装置）は移動せず固定され、インクジェット記録ヘッドが移動する構成であっても良い。あるいは、インクジェット記録ヘッドと弾性ブレード（ワイピング装置）との両方が移動しても良い。
【００９４】
また、本発明におけるインクジェット記録とは、記録紙Ｐ上への文字や画像の記録に限定されるものではない。すなわち、記録媒体は紙に限定されるものでなく、また、吐出する液体もインクに限定されるものではない。例えば、高分子フィルムやガラス上にインクを吐出してディスプレイ用カラーフィルターを作成したり、溶接状態の半田を基板上に吐出して部品実装用のバンプを形成するなど、工業的に用いられる液滴噴射装置全般に対して、本発明を適用することができる。
【図面の簡単な説明】
【００９５】
【図１】第一の実施形態のインクジェット記録装置の画像記録時の状態を模式的に示す概略図である。
【図２】第一の実施形態のインクジェット記録装置のメンテナンス時の状態を模式的に示す概略図である。
【図３】ワイピング装置が移動し、インクジェット記録ヘッドのノズル面をワイピングする様子を（Ａ）から（Ｃ）へと順番に示した図である。
【図４】（Ａ）はワイピング装置の断面を模式的に示す図であり、（Ｂ）はワイピング中の図であり、（Ｃ）は（Ｂ）の弾性ブレードの根元部分の拡大図である。
【図５】その他の制御方法において、ワイピング装置が移動し、インクジェット記録ヘッドのノズル面をワイピングする様子を（Ａ）から（Ｄ）へと順番に示した図である。
【図６】その他の制御方法のフローチャートである。
【図７】事前制御を、（Ａ）から（Ｃ）へと順番に示した図である。
【図８】事後制御を、（Ａ）から（Ｃ）へと順番に示した図である。
【図９】第一の変形例のワイピング装置を模式的に示し、（Ａ）は断面を示す図であり、（Ｂ）はワイピング中の図である。
【図１０】第二の変形例ワイピング装置を模式的に示す断面図である。
【図１１】第二の変形例ワイピング装置のインク移行部材を示し、（Ａ）は下流側から見た斜視図であり、（Ｂ）は上流側から見た斜視図である。
【図１２】第三の変形例のワイピング装置を模式的に示す断面図である。
【図１３】第四の変形例のワイピング装置を模式的に示し、（Ａ）は断面を示す図であり、（Ｂ）はワイピング中の図である。
【図１４】第二の実施形態のインクジェット記録装置のインクジェット記録ヘッドノズル面をワイピングする様子を（Ａ）から（Ｃ）へと順番に示した図である。
【符号の説明】
【００９６】
１１      制御部（制御手段）
１２      インクジェット記録装置。
【００９７】
３２      インクジェット記録ヘッド
３２Ａ    ノズル面
３６      ノズル
３７      清掃用ノズル
６０      ヘッド移動機構（第二移動手段）
１０４      弾性ブレード（第一ワイパー）
１０５      乾拭き用弾性ブレード（第二ワイパー）
１０６Ａ    インク吸収体（インク受け部）
１０６Ｂ    インク吸収体（インク受け部）
１０８      移動機構部（第一移動手段）
１１０      シャフト（第一移動手段）
１１４      スクリューシャフト（第一移動手段）
３０８      箱部（インク受け部）
４０８      箱部（インク受け部）
【図１】
2006212863.tif 000003
【図２】
2006212863.tif 000004
【図３】
2006212863.tif 000005
【図４】
2006212863.tif 000006
【図５】
2006212863.tif 000007
【図６】
2006212863.tif 000008
【図７】
2006212863.tif 000009
【図８】
2006212863.tif 000010
【図９】
2006212863.tif 000011
【図１０】
2006212863.tif 000012
【図１１】
2006212863.tif 000013
【図１２】
2006212863.tif 000014
【図１３】
2006212863.tif 000015
【図１４】
2006212863.tif 000016